(57)【要約】【課題】装置を小型化できると共に、部品点数を削減して組立が容易な接触子装置を提供する。【解決手段】接触子１をばね性を有する導電性材料を用いその断面形状が略コの字型をなすように一体で構成し、接触子１のコの字型中央部外側を固定導体に接触させ、接触子１のコの字型中央部を両方向に延伸させた延伸部１ａを用いて固定導体にネジ止めする際、接触子１と固定導体の接触部分の長さと同一長さを有するスペーサ２を介在させてネジ止めすることにより固定導体と電気的に接続する。可動導体は接触子１のコの字型両端部間に挿脱可能で、接触子１自身の形状およびばね性により可動導体を両側から押圧することにより可動導体との電気的接続を得る。【選択図】　　　　図１
2004127847.tif 000002
【特許請求の範囲】
【請求項１】
ばね性を有する導電性材料を用いその断面形状が略コの字型を有すると共に上記コの字型の中央部はその断面が円弧をなすような曲面形状を有し、上記コの字型の中央部には上記コの字型の断面に対して垂直に両方向に延伸しかつその両端部には各々孔部を有する延伸部と、上記コの字型の両端部には上記コの字型の断面に対して各々平行に分割された複数のフィンガー部とを有する接触子、
上記接触子の上記両延伸部を含めた上記コの字型の中央部とほぼ同じ平面形状を有し、上記接触子と接する面はその断面が円弧をなすような曲面形状、他面は平面であり、上記接触子の両延伸部に形成された上記孔部と各々同位置かつ同サイズの孔部を有するスペーサ、
二個のバネ、
一端部にはネジ部が形成され、他端部には上記バネを押さえ得る傘状の頭部を有するピンを備え、
上記接触子は上記フィンガー部間に可動導体を挿脱可能であり、上記フィンガー部間に可動導体が挿入されると上記フィンガー部は各々上記可動導体方向に押し圧力を有し、また、上記接触子はそのコの字型の中央部外側を固定導体に接触させ、上記接触子の上記コの字型の中央部内側に上記スペーサを各々に設けた上記孔部がそれぞれ一致するように配置し、それぞれの上記孔部に上記バネを介して上記ピンを挿入し、上記ピンのネジ部を上記固定導体に締結して固定するように構成されていることを特徴とする接触子装置。
【請求項２】
上記スペーサにおける断面の上記円弧の半径は、上記接触子の上記コの字型の中央部の上記円弧の内半径より小さく形成されていることを特徴とする請求項１記載の接触子装置。
【請求項３】
上記ピンにおける上記ネジ部と上記傘状の頭部の間は上記ネジ部より大きい外径を有する円筒部で形成され、上記円筒部の長さは上記ピンが挿入される部分の上記接触子の厚みと上記スペーサの厚みと上記バネの終高さを合計したものであることを特徴とする請求項１または請求項２記載の接触子装置。
【発明の詳細な説明】
【０００１】
【発明の属する技術分野】
この発明は、例えば遮断器などの電気開閉器の接触部に用いられる接触子装置に関するものである。
【０００２】
【従来の技術】
従来の接触子装置においては、一対の接触子が板状のベース（固定導体）の両側に配置されると共に、この一対の接触子の一端部を板状のベースの両面に圧接するための弾性保持装置を具備しており、上記弾性保持装置は一対の接触子の他端部間に板状のブレード（可動導体）が挿入されると、一対の接触子の他端部を板状のブレードの両面に圧接し、一対の接触子を介してベース（固定導体）とブレード（可動導体）間を通電する（例えば特許文献１参照）。
なお、弾性保持装置は接触子に圧力を加えるばねと、一対の接触子およびベースを貫通して軸支すると共に一端でばねを係止するためのつばを有する軸と、この軸の抜け防止のために軸の他端に取り付けられるピンから構成される。
【０００３】
【特許文献１】
特開２００２−１９０３３２号公報
【０００４】
【発明が解決しようとする課題】
従来の接触子装置では、一対の接触子の外部に弾性保持装置のばねが配置されており、外形寸法の縮小化に限界があるという問題点があった。また、接触子装置を構成する部品点数が多く、組立に多くの時間を要するという問題があった。
【０００５】
この発明は上記のような問題点を解決するためになされたもので、装置を小型化するとともに、部品点数を削減して組立が容易な接触子装置を得ることを目的とする。
【０００６】
【課題を解決するための手段】
この発明に係る接触子装置は、ばね性を有する導電性材料を用いその断面形状が略コの字型を有すると共にコの字型の中央部はその断面が円弧をなすような曲面形状を有し、コの字型の中央部にはコの字型の断面に対して垂直に両方向に延伸しかつその両端部には各々孔部を有する延伸部と、コの字型の両端部にはコの字型の断面に対して各々平行に分割された複数のフィンガー部とを有する接触子、接触子の両延伸部を含めたコの字型の中央部とほぼ同じ平面形状を有し、接触子と接する面はその断面が円弧をなすような曲面形状、他面は平面であり、接触子の両延伸部に形成された孔部と各々同位置かつ同サイズの孔部を有するスペーサ、二個のバネ、一端部にはネジ部が形成され、他端部にはバネを押さえ得る傘状の頭部を有するピンを備え、接触子はフィンガー部間に可動導体を挿脱可能であり、フィンガー部間に可動導体が挿入されるとフィンガー部は各々可動導体方向に押し圧力を有し、接触子は、そのコの字型の中央部外側を固定導体に接触させ、接触子のコの字型の中央部内側に上記スペーサを各々に設けた孔部がそれぞれ一致するように配置し、それぞれの孔部にバネを介してピンを挿入し、ピンのネジ部を固定導体に締結して固定するように構成されているものである。
【０００７】
【発明の実施の形態】
実施の形態１．
図１、図２はこの発明の実施の形態１における接触子装置を示す斜視図と側面図、図３は図２のＡ−Ａ線に沿った断面から見た側面図である。
図において、接触子装置は、可動導体の挿脱部を含む接触子１と、この接触子１を固定導体に取り付けるためのスペーサ２、バネ３およびピン４から構成される。
【０００８】
接触子１は、ばね性を有する導電性材料を用い、その断面形状は略コの字型を有して一体で構成されている。前記コの字型の中央部（縦線部）は、その断面が円弧をなすような曲面形状を有し、かつコの字型の断面に対して垂直に両方向に延伸してなる延伸部１ａを備えている。なお、両延伸部１ａには、後述するピン４が貫通するための孔部が各々形成されている。
また、前記コの字型の両端部（二本の横線部）は、コの字型の断面に対して各々平行に分割された複数のフィンガー部１ｂを有し、このフィンガー部１ｂは、コの字型の内側に向けてそれぞれ傾斜すると共にその先端部では外側に開くように形成することにより、フィンガー部１ｂ間に挿入される可動導体の挿脱を容易にしている。
【０００９】
図４はスペーサ２を示す斜視図である。スペーサ２は、接触子１の両延伸部１ａを含めたコの字型の中央部とほぼ同じ平面形状を有し、一面は平面、他面はその断面が円弧をなすような曲面形状を有している。なお、スペーサ２の円弧部分の半径は、接触子１のコの字型の中央部の円弧部分の内半径より小さく形成されている。また、スペーサ２の両端部には、接触子１の両延伸部１ａに設けられた孔部と一致する位置に孔部２ａが各々形成されている。また、スペーサ２は、孔部２ａにバネ３を介してピン４を挿入して締着する際に接触子１のコの字型の中央部を均一に加圧して撓まない厚みを有している。
【００１０】
図５はピン４を示す図で、（ａ）は側面図、（ｂ）は上面図である。ピン４は、その一端部に固定導体との締結用にネジ部４ａ（例えばＭ８ネジ）が形成され、他端部にはバネ３の外形より大きくかつバネ３を押圧するために十分な面積を有する傘状の頭部４ｂを有している。なお、傘状の頭部４ｂには六角穴４ｃが加工されている。また、ピン４のネジ部４ａと頭部４ｂの間は、ネジ部４ａより大きい外径を有する円筒部４ｄ（例えばφ１０）で形成されている。この円筒部４ｄは、ピン４が挿入される部分の接触子１の厚みとスペーサ４の中央部厚みとバネ３の終高さを合計した長さを有している。
【００１１】
次に、本実施の形態による接触子装置の固定導体への取り付けおよび可動導体との電気的接続について説明する。
まず、接触子１のコの字型の中央部の外側を固定導体と接触させ、接触子１のコの字型の中央部の内側に、接触子１の延伸部１ａに設けた孔部とスペーサ２の孔部２ａが一致するようにスペーサ２を配置する。なお、スペーサ２は曲面形状側の面が接触子１と接触するように配置する。
次に両端の孔部にバネ３を介してピン４を挿入し、ピン４の頭部４ｂに設けた六角穴４ｃを利用して規定トルクで締結することにより、接触子１のコの字型の中央部の外側の面と固定導体が接触して接触子１と固定導体が電気的に接続される。
【００１２】
また、接触子１のコの字型の両端部のフィンガー部１ｂ間に可動導体が挿入されると、フィンガー部１ｂ自身の形状およびばね性によりフィンガー部１ｂが各々可動導体の両面を押圧して接触子１と可動導体が電気的に接続される。
【００１３】
このように構成された接触子装置においては、接触子１をばね性を有する導電性材料を用いその断面形状が略コの字型をなすように一体で構成し、接触子１と固定導体との電気的接続は、前記コの字型の中央部の外側を固定導体と接触させ、接触子１に設けた延伸部１ａを用いて固定導体にネジ止めすることにより確保し、接触子１と可動導体の電気的接続は、前記コの字型の両端部に設けたフィンガー部１ｂ間に可動導体を挿入し、フィンガー部１ｂ自身の形状およびばね性によってフィンガー部１ｂが可動導体の両面を押圧することにより確保するように構成されているため、従来一対の接触子の外側に配置されていた弾性保持装置が不要となって装置を小型化できると共に部品点数を削減でき組立が容易な接触子装置を得ることができる。
【００１４】
また、接触子１を固定導体に締結する際に、接触子１と固定導体との接触部分の長さと同一長さを有する一個のスペーサ２を用い、かつスペーサ２の押圧にバネ３を介在させることにより、スペーサ２全体で接触子１の固定導体との接触部分を押圧することができ、接触子１と固定導体の接触領域（線接触）を確保して安定した電気的接続を得ることができる。
さらに、スペーサ２の円弧部分の半径を、接触子１のコの字型の中央部の円弧部分の内半径より小さく形成することにより、スペーサ２は接触子１のコの字型の中央部内側を固定導体側に向けて線状に強い力で押圧することができる。また、可動導体が接触子１の中心軸からずれて挿入され接触子１が傾いた状態にあっても、スペーサ２は接触子１のコの字型の中央部内側とを線接触を確保できる。
【００１５】
また、ピン４のネジ部４ａと傘状の頭部４ｂの間をネジ部４ａより大きい外径を有する円筒部４ｄで形成し、円筒部４ｄの長さをピン４が挿入される部分の接触子１の厚みとスペーサ４の厚みとバネ３の終高さを合計した長さとすることにより、固定導体にピン４のネジ部４ａを螺合させてピン４を規定トルクで締結するとバネ３は必然的に終高さまで縮められるため、締結時のバネ長を調整する必要がなく、組立を容易に行うことが出来る。
【００１６】
【発明の効果】
以上のように、この発明によれば、接触子をばね性を有する導電性材料を用いその断面形状が略コの字型をなすように一体で構成し、接触子と可動導体の電気的接続は、接触子のコの字型の両端部に設けたフィンガー部間に可動導体を挿入し、フィンガー部自身の形状およびばね性によってフィンガー部が可動導体の両面を押圧することにより確保し、接触子と固定導体との電気的接続は、接触子のコの字型の中央部の外側を固定導体と接触させネジ止めすることによって確保するが、このとき、接触子のコの字型の中央部の内側に接触子と固定導体との接触部分の長さと同一長さを有する一個のスペーサおよびバネを介在させてネジ止めすることにより、部品点数を削減して組立を簡素化できると共に接触子と固定導体間で安定した電気的接続を得ることができ、信頼性の高い接触子装置を安価で得ることができる。
【図面の簡単な説明】
【図１】この発明の実施の形態１による接触子装置を示す斜視図である。
【図２】この発明の実施の形態１による接触子装置を示す側面図である。
【図３】この発明の実施の形態１による接触子装置を示す断面図である。
【図４】この発明の実施の形態１による接触子装置のスペーサを示す斜視図である。
【図５】この発明の実施の形態１による接触子装置のピンを示す図である。
【符号の説明】
１　接触子、１ａ　延伸部、１ｂ　フィンガー部、２　スペーサ、２ａ　孔部３　バネ、４　ピン、４ａ　ネジ部、４ｂ　頭部、４ｃ　六角穴、４ｄ　円筒部。
【図１】
2004127847.tif 000003
【図２】
2004127847.tif 000004
【図３】
2004127847.tif 000005
【図４】
2004127847.tif 000006
【図５】
2004127847.tif 000007